(57)【特許請求の範囲】
【請求項１】
共通の拡散レートにて周波数拡散され、符号分割多重方式により複数の移動局の各々から送信されるユーザ信号の信号対干渉電力比を所定範囲内に収めるための制御手段が備えられた基地局に設けられ、該基地局における受信信号からユーザ信号間の相互干渉を低減しつつ各ユーザ信号を分離抽出する干渉キャンセル装置であって、
各ユーザ信号の受信レベルの大小順を表すレベルランキング情報を生成するレベルランキング手段と、
前記レベルランキング情報に基づき、受信レベルの大きなユーザ信号から順に、それらユーザ信号に係る干渉成分を前記基地局における受信信号から除去する干渉キャンセル処理手段と、
を含み、
前記レベルランキング手段は、
各ユーザ信号のシンボルレートに基づき、各ユーザ信号の受信レベルの大小順を表す情報を生成する第１ソート部と、
前記制御手段における各ユーザ信号の信号対干渉電力比の制御目標値に基づき、各ユーザ信号の受信レベルの大小順を表す情報を生成する第２ソート部と、
を含み、
前記第１および第２ソート部のうち、同一順位に順位付ける受信レベルの幅が小さい方のソート部は、前記第１および第２ソート部のうち、同一順位に順位付ける受信レベルの幅が大きい方のソート部が生成した情報に基づいて各ユーザ信号の受信レベルの大小順を表す情報を生成し、
前記レベルランキング手段は、
前記第１および第２ソート部のうち、同一順位に順位付ける受信レベルの幅が小さい方のソート部が生成した情報に基づいて前記レベルランキング情報を生成することを特徴とする干渉キャンセル装置。
【請求項２】
共通の拡散レートにて周波数拡散され、符号分割多重方式により複数の移動局の各々から送信されるユーザ信号の信号対干渉電力比を所定範囲内に収めるための制御手段が備えられた基地局に設けられ、該基地局における受信信号からユーザ信号間の相互干渉を低減しつつ各ユーザ信号を分離抽出する干渉キャンセル装置であって、
各ユーザ信号の受信レベルの大小順を表すレベルランキング情報を生成するレベルランキング手段と、
前記レベルランキング情報に基づき、受信レベルの大きなユーザ信号から順に、それらユーザ信号に係る干渉成分を前記基地局における受信信号から除去する干渉キャンセル処理手段と、
を含み、
前記制御手段は、
前記複数の移動局に対してユーザ信号の送信電力レベルを上下するよう指示する送信電力制御信号を送信する送信電力制御信号送信手段を含み、
前記レベルランキング手段は、
各ユーザ信号のシンボルレートに基づき、各ユーザ信号の受信レベルの大小順を表す情報を生成する第１ソート部と、
各移動局に対して送信される送信電力制御信号に基づき、各ユーザ信号の受信レベルの大小順を表す情報を生成する第２ソート部と、
を含み、
前記第１および第２ソート部のうち、同一順位に順位付ける受信レベルの幅が小さい方のソート部は、前記第１および第２ソート部のうち、同一順位に順位付ける受信レベルの幅が大きい方のソート部が生成した情報に基づいて各ユーザ信号の受信レベルの大小順を表す情報を生成し、
前記レベルランキング手段は、
前記第１および第２ソート部のうち、同一順位に順位付ける受信レベルの幅が小さい方のソート部が生成した情報に基づいて前記レベルランキング情報を生成することを特徴とする干渉キャンセル装置。
【請求項３】
符号分割多重方式により複数の移動局の各々から送信されるユーザ信号の信号対干渉電力比を所定範囲内に収めるための制御手段が備えられた基地局に設けられ、該基地局における受信信号からユーザ信号間の相互干渉を低減しつつ各ユーザ信号を分離抽出する干渉キャンセル装置であって、
各ユーザ信号の受信レベルの大小順を表すレベルランキング情報を生成するレベルランキング手段と、
前記レベルランキング情報に基づき、受信レベルの大きなユーザ信号から順に、それらユーザ信号に係る干渉成分を前記基地局における受信信号から除去する干渉キャンセル処理手段と、
を含み、
前記制御手段は、
前記複数の移動局に対してユーザ信号の送信電力レベルを上下するよう指示する送信電力制御信号を送信する送信電力制御信号送信手段を含み、
前記レベルランキング手段は、
前記制御手段における各ユーザ信号の信号対干渉電力比の制御目標値に基づき、各ユーザ信号の受信レベルの大小順を表す情報を生成する第１ソート部と、
各移動局に対して送信される送信電力制御信号に基づき、各ユーザ信号の受信レベルの大小順を表す情報を生成する第２ソート部と、
を含み、
前記第１および第２ソート部のうち、同一順位に順位付ける受信レベルの幅が小さい方のソート部は、前記第１および第２ソート部のうち、同一順位に順位付ける受信レベルの幅が大きい方のソート部が生成した情報に基づいて各ユーザ信号の受信レベルの大小順を表す情報を生成し、
前記レベルランキング手段は、
前記第１および第２ソート部のうち、同一順位に順位付ける受信レベルの幅が小さい方のソート部が生成した情報に基づいて前記レベルランキング情報を生成することを特徴とする干渉キャンセル装置。
【請求項４】
請求項１から請求項３のいずれか１項に記載の干渉キャンセル装置において、
前記干渉キャンセル処理手段は、
１つのユーザ信号に応じた干渉レプリカ信号を生成する干渉キャンセルユニットと、
前記干渉キャンセルユニットに対応して設けられ、対応する干渉キャンセルユニットの処理前の信号を遅延させて出力する遅延素子と、
前記干渉キャンセルユニットに対応して設けられ、対応する干渉キャンセルユニットの処理後の信号と、当該干渉キャンセルユニットに対応する遅延素子から出力される信号と、を合成する合成部と、
がそれぞれに備えられる複数の処理ブロックを備え、
前記複数の処理ブロックは、
前段の処理ブロックが備える合成部によって合成された信号に対し、後段の処理ブロックが備える干渉キャンセルユニットおよび遅延素子が処理を施すよう、縦続処理を実行することを特徴とする干渉キャンセル装置。
【発明の詳細な説明】
【０００１】
【発明の属する技術分野】
本発明は干渉キャンセル装置に関し、例えばスペクトル直接拡散符号分割多重（ＤＳ−ＣＤＭＡ）方式を採用する基地局において複数ユーザ信号の相互干渉を低減しつつ受信信号から各ユーザ信号を分離抽出する干渉キャンセル装置に関する。
【０００２】
【従来の技術】
従来、ＤＳ−ＣＤＭＡ方式では、各移動局から送信されるユーザ信号は、各々固有の拡散符号で広い周波数帯域に拡散され、伝送路に送出される。一方、基地局では、複数のユーザ信号が重畳された受信信号に対し、移動局側と同一の拡散符号を用いた逆拡散処理を施し、再び元のユーザ信号を分離抽出する。この際、拡散符号の相互相関に起因して分離抽出するユーザ信号には相互干渉が含まれる。
【０００３】
かかる相互干渉を低減するため、従来、マルチステージ干渉キャンセル装置が各種提案されている。このうち、各々ユーザ信号に対応した複数の干渉キャンセルユニットを直列接続してなる干渉キャンセル装置では、受信レベルが大きなユーザ信号の方が相互干渉の影響が少ないと考えられるため、受信レベルが大きなユーザ信号から順に干渉キャンセル処理を行う。このような干渉キャンセル装置としては、例えば特開平１０−５１３５３号公報に係るＣＤＭＡマルチユーザ受信装置がある。
【０００４】
図４は、従来技術に係る、この種の干渉キャンセル装置の構成を示す図である。同図に示すように、この干渉キャンセル装置１００は、各ユーザ信号の受信レベルを測定する受信レベル測定部１０２と、複数ユーザに対する干渉キャンセル処理を複数ステージにわたって行う第１ステージ１２、第２ステージ１４、及び第３ステージ１６と、レベルランキング回路１０６と、を含んで構成されている。
【０００５】
第１ステージ１２はＩＣＵ（干渉キャンセルユニット）２０−１〜２０−ｎ、遅延素子２４−１〜２４−ｎ、加算器２２−１〜２２−ｎを含んでいる。ＩＣＵ２０−１には受信信号が入力されており、あるユーザ信号に係る干渉レプリカが生成される。干渉レプリカは一方で再び拡散されてから加算器２２−１に与えられ、そこで遅延素子２４−１によりＩＣＵ２０−１での処理時間だけ遅延された受信信号から差し引かれる。この結果は加算器２２−１から誤差信号として出力される。干渉レプリカは他方で、そのままの形で次ステージたる第２ステージ１４のＩＣＵ２６−１にも与えられる。
【０００６】
ＩＣＵ２０−２〜２０−ｎについても同様であり、そこで、加算器２２−１〜２２−（ｎ−１）から出力される誤差信号に基づき、他のユーザ信号に係る干渉レプリカが生成される。そして、それら干渉レプリカは再び拡散された後に次の加算器２２−２〜２２−ｎに供給され、遅延素子２４−２〜２４−ｎによる遅延を経た誤差信号からさらに差し引かれるとともに、そのままの形で次ステージたる第２ステージ１４のＩＣＵ２６−２〜２６−ｎにも与えられる。
【０００７】
一方、第２ステージ１４はＩＣＵ２６−１〜２６−ｎ、遅延素子３０−１〜３０−ｎ、加算器２８−１〜２８−ｎを含んでいる。ここでは、まずＩＣＵ２６−１に加算器２２−ｎで得られた誤差信号が入力されるとともに、第１ステージ１２のＩＣＵ２０−１で得られた干渉レプリカが入力される。ここでは、誤差信号を逆拡散してなる信号と干渉レプリカとの差分が取られ、その差分信号から干渉レプリカが再生成される。以降の処理は第１ステージ１２と同様である。
【０００８】
最後の第３ステージ１６はＩＣＵ３２−１〜３２−ｎ、遅延素子３６−１〜３６−（ｎ−１）、加算器３４−１〜３４−（ｎ−１）を含んでいる。ここでも第２ステージ１４と同様の干渉キャンセル処理が行われ、最後にＩＣＵ３２−１〜３２−ｎから各干渉レプリカが干渉除去済みのユーザ信号として出力される。
【０００９】
受信レベル測定部１０２は総数ｎのユーザに対応したｎ個の受信機（ＲＸ）１０４−１〜１０４−ｎを含んでおり、多重化された各シンボル時刻の受信信号がパラレルにそれらに入力され、ここで各ユーザ信号毎に受信レベルが測定される。そして、この測定結果はレベルランキング回路１０６に供給されている。
【００１０】
レベルランキング回路１０６では、ｎ人のユーザを、そのユーザ信号の受信レベルの大きい順にソーティングしてレベルランキング情報を生成する。このレベルランキング情報は、例えばユーザ、ユーザ信号の受信シンボル時刻、受信レベル順位を対応づけてなる三次元テーブルの形態でレベルランキング回路１０６に保持されるようになっており、レベルランキング回路１０６では、その内容に応じて第１〜第３ステージ１２，１４，１６に含まれるＩＣＵ２０，２６，３２に干渉キャンセル処理の対象たるユーザを指示する。これにより、第１〜第３ステージ１２，１４，１６では、受信レベルの大きなユーザ信号から順に干渉キャンセル処理を施すことができるようになる。
【００１１】
この他にも、例えば特開平９−３３１２７４号公報に係るＤＳ−ＣＤＭＡ干渉キャンセル装置のように、レベルランキング情報を受信信号に添付して直列接続された干渉キャンセルユニットに供給するものもある。
【００１２】
【発明が解決しようとする課題】
しかし、従来技術に係る干渉キャンセル装置１００では各ユーザ信号の受信レベルを測定するためにユーザ数に対応したｎ個の受信機１０４を必要とし、回路規模が増大するという問題がある。
【００１３】
本発明は上記課題に鑑みてなされたものであって、その目的は、各ユーザ信号の受信レベルを測定するための受信機を用いることなく簡易な構成で受信レベルの大小順位を表すレベルランキング情報を生成することのできる干渉キャンセル装置を提供することにある。
【００１４】
【課題を解決するための手段】
上記課題を解決するために、本発明に係る干渉キャンセル装置は、符号分割多重方式により複数の移動局の各々から送信されるユーザ信号の信号対干渉電力比を所定範囲内に収めるための制御手段が備えられた基地局に設けられ、該基地局における受信信号からユーザ信号間の相互干渉を低減しつつ各ユーザ信号を分離抽出する干渉キャンセル装置であって、各ユーザ信号の受信レベルの大小順を表すレベルランキング情報を生成するレベルランキング手段と、前記レベルランキング情報に基づき、受信レベルの大きなユーザ信号から順に、それらユーザ信号に係る干渉成分を前記基地局における受信信号から除去する干渉キャンセル処理手段と、を含み、前記レベルランキング手段は、各ユーザ信号のシンボルレートに基づき、各ユーザ信号の受信レベルの大小順を表す情報を生成する第１ソート部と、前記制御手段における各ユーザ信号の信号対干渉電力比の制御目標値に基づき、各ユーザ信号の受信レベルの大小順を表す情報を生成する第２ソート部と、を含み、前記第１および第２ソート部のうち、同一順位に順位付ける受信レベルの幅が小さい方のソート部は、前記第１および第２ソート部のうち、同一順位に順位付ける受信レベルの幅が大きい方のソート部が生成した情報に基づいて各ユーザ信号の受信レベルの大小順を表す情報を生成し、前記レベルランキング手段は、前記第１および第２ソート部のうち、同一順位に順位付ける受信レベルの幅が小さい方のソート部が生成した情報に基づいて前記レベルランキング情報を生成することを特徴とする。
【００１５】
拡散率が高いユーザ信号ほど電力レベルが低く、逆に拡散率が低いユーザ信号ほど電力レベルが高いが、移動局から送信されるユーザ信号が同じ拡散レートにて周波数拡散されている場合、基地局では各ユーザ信号のシンボルレートにより、その電力レベルの大小を判断することができる。
【００１６】
本発明においては、例えば、ユーザ信号毎に１フレーム当たりどれくらいのビットエラーが発生するかを調べ、各ユーザ信号の伝送品質を均質化するため、特定のユーザ信号についてＳＩＲの制御目標値を上げたり、逆に下げたりすることが行われる。このような場合、ＳＩＲの制御目標値が大きなユーザ信号については同じ拡散率であっても電力レベルが高く、逆にＳＩＲの制御目標値が小さなユーザ信号については同じ拡散率であっても電力レベルが低いと判断できる。
【００１７】
また、本発明は、共通の拡散レートにて周波数拡散され、符号分割多重方式により複数の移動局の各々から送信されるユーザ信号の信号対干渉電力比を所定範囲内に収めるための制御手段が備えられた基地局に設けられ、該基地局における受信信号からユーザ信号間の相互干渉を低減しつつ各ユーザ信号を分離抽出する干渉キャンセル装置であって、各ユーザ信号の受信レベルの大小順を表すレベルランキング情報を生成するレベルランキング手段と、前記レベルランキング情報に基づき、受信レベルの大きなユーザ信号から順に、それらユーザ信号に係る干渉成分を前記基地局における受信信号から除去する干渉キャンセル処理手段と、を含み、前記制御手段は、前記複数の移動局に対してユーザ信号の送信電力レベルを上下するよう指示する送信電力制御信号を送信する送信電力制御信号送信手段を含み、前記レベルランキング手段は、各ユーザ信号のシンボルレートに基づき、各ユーザ信号の受信レベルの大小順を表す情報を生成する第１ソート部と、各移動局に対して送信される送信電力制御信号に基づき、各ユーザ信号の受信レベルの大小順を表す情報を生成する第２ソート部と、を含み、前記第１および第２ソート部のうち、同一順位に順位付ける受信レベルの幅が小さい方のソート部は、前記第１および第２ソート部のうち、同一順位に順位付ける受信レベルの幅が大きい方のソート部が生成した情報に基づいて各ユーザ信号の受信レベルの大小順を表す情報を生成し、前記レベルランキング手段は、前記第１および第２ソート部のうち、同一順位に順位付ける受信レベルの幅が小さい方のソート部が生成した情報に基づいて前記レベルランキング情報を生成することを特徴とする。
【００１８】
また、本発明は、符号分割多重方式により複数の移動局の各々から送信されるユーザ信号の信号対干渉電力比を所定範囲内に収めるための制御手段が備えられた基地局に設けられ、該基地局における受信信号からユーザ信号間の相互干渉を低減しつつ各ユーザ信号を分離抽出する干渉キャンセル装置であって、各ユーザ信号の受信レベルの大小順を表すレベルランキング情報を生成するレベルランキング手段と、前記レベルランキング情報に基づき、受信レベルの大きなユーザ信号から順に、それらユーザ信号に係る干渉成分を前記基地局における受信信号から除去する干渉キャンセル処理手段と、を含み、前記制御手段は、前記複数の移動局に対してユーザ信号の送信電力レベルを上下するよう指示する送信電力制御信号を送信する送信電力制御信号送信手段を含み、前記レベルランキング手段は、前記制御手段における各ユーザ信号の信号対干渉電力比の制御目標値に基づき、各ユーザ信号の受信レベルの大小順を表す情報を生成する第１ソート部と、各移動局に対して送信される送信電力制御信号に基づき、各ユーザ信号の受信レベルの大小順を表す情報を生成する第２ソート部と、を含み、前記第１および第２ソート部のうち、同一順位に順位付ける受信レベルの幅が小さい方のソート部は、前記第１および第２ソート部のうち、同一順位に順位付ける受信レベルの幅が大きい方のソート部が生成した情報に基づいて各ユーザ信号の受信レベルの大小順を表す情報を生成し、前記レベルランキング手段は、前記第１および第２ソート部のうち、同一順位に順位付ける受信レベルの幅が小さい方のソート部が生成した情報に基づいて前記レベルランキング情報を生成することを特徴とする。
【００１９】
制御手段が移動局に対してユーザ信号の送信電力レベルを上下するよう指示する送信電力制御（Transmission Power Control；ＴＰＣ）信号を送信する手段を含んで構成されている場合、移動局がそのＴＰＣ信号に応じて送信電力レベルを上下することにより、各ユーザのＳＩＲが所定範囲内に収まるようになる。この場合、基地局から発せられるＴＰＣ信号が移動局に対して送信電力を下げるよう指示するものであれば、現在受信しているユーザ信号については電力レベルが大きいと判断できる。逆に、基地局から発せられるＴＰＣ信号が移動局に対して送信電力を上げるよう指示するものであれば、現在受信しているユーザ信号については電力レベルが小さいと判断できる。このため本態様では、上記レベルランキング手段が基地局から各移動局に対して送信されるＴＰＣ信号に基づき、レベルランキング情報を生成している。これにより、受信機を用いることなく簡易な構成でさらに詳細なレベルランキング情報を生成することができるようになる。
【００２０】
また、本発明に係る干渉キャンセル装置においては、前記干渉キャンセル処理手段は、１つのユーザ信号に応じた干渉レプリカ信号を生成する干渉キャンセルユニットと、前記干渉キャンセルユニットに対応して設けられ、対応する干渉キャンセルユニットの処理前の信号を遅延させて出力する遅延素子と、前記干渉キャンセルユニットに対応して設けられ、対応する干渉キャンセルユニットの処理後の信号と、当該干渉キャンセルユニットに対応する遅延素子から出力される信号と、を合成する合成部と、がそれぞれに備えられる複数の処理ブロックを備え、前記複数の処理ブロックは、前段の処理ブロックが備える合成部によって合成された信号に対し、後段の処理ブロックが備える干渉キャンセルユニットおよび遅延素子が処理を施すよう、縦続処理を実行することが好適である。
【００２３】
【発明の実施の形態】
以下、本発明の好適な実施の形態について図面に基づいて詳細に説明する。
【００２４】
図１は、本発明の実施の形態に係る干渉キャンセル装置の構成を示す図である。同図に示す干渉キャンセル装置１０は、それぞれｎユーザに対する干渉キャンセル処理を行う第１〜第３ステージ１２，１４，１６を含んで構成されている（マルチユーザ・マルチステージ逐次処理型干渉キャンセル装置）。これら第１〜第３ステージ１２，１４，１６は既に説明した従来技術に係る干渉キャンセル装置１００に含まれるものと同一構成及び同一作用を有するので、ここでは説明を省略する。
【００２５】
以下の説明では、１）各ユーザ信号のＳＩＲを所定範囲内に収めるための送信電力制御機能が備えられた基地局に干渉キャンセル装置１０が設けられており、また、２）拡散率の異なる複数のユーザ信号を取り扱うことのできる基地局に干渉キャンセル装置１０が設けられており、３）各移動局では拡散レートが同一である、ことを前提とする。干渉キャンセル装置１０は、かかる前提の下、受信機を用いることなくレベルランキングを行う。
【００２６】
すなわち、本発明にかかる干渉キャンセル装置１０には、従来技術に係る干渉キャンセル装置１００とは異なり、新規なレベルランキング回路１８を有している。従来技術ではレベルランキングに受信レベル測定部１０２を必要としていたのに対し、このレベルランキング回路１８によれば、かかる構成を用いることなくユーザ信号の受信レベルの大小順位を表すレベルランキング情報を生成することができる。したがって、本干渉キャンセル装置１０には受信レベル測定部１０２が設けられておらず、同干渉キャンセル装置１０は従来技術に比して小さな回路規模で実現することができる。
【００２７】
その他の機能については、この干渉キャンセル装置１０は、従来技術に係るレベルランキング回路１０６と同様である。すなわち、干渉キャンセル装置１０が生成するレベルランキング情報は、例えばユーザ、ユーザ信号の受信シンボル時刻、受信レベル順位を対応づけてなる三次元テーブルの形態で、レベルランキング回路１８に含まれる図示しないメモリ保持されるようになっている。レベルランキング回路１８では、その内容に応じて第１〜第３ステージ１２，１４，１６に含まれるＩＣＵ２０，２６，３２に干渉キャンセル処理の対象たるユーザを指示する。こうして、第１〜第３ステージ１２，１４，１６は、受信レベルの大きなユーザ信号から順に干渉キャンセル処理を施すことができる。
【００２８】
図２は、レベルランキング回路１８のソート処理に関わる構成を示す図である。同図に示すように、レベルランキング回路１８は、シンボルレートソート部３８と、ターゲットＳＩＲソート部４０と、ＴＰＣソート部４２と、を含んで構成されている。シンボルレートソート部３８には、図示しない基地局の制御装置から各ユーザ信号のシンボルレート情報が入力されるようになっており、この情報に基づいて第１回目のレベルランキング処理を行う。
【００２９】
すなわち、本干渉キャンセル装置１０が設けられる基地局では、各ユーザ信号のＳＩＲが一定範囲に収まるようになっており、さらに各ユーザ信号の拡散レートが同一であるため、シンボルレートが高いユーザ信号ほど拡散率が低く、このため電力レベルは高いと判断できる。逆に、シンボルレートが低いユーザ信号ほど拡散率が高く、このため電力レベルが低いと判断できる。このため、シンボルレートソート部３８では、シンボルレート情報に基づいて第１回目のレベルランキング処理を行い、レベルランキング情報を生成する。
【００３０】
次にターゲットＳＩＲソート部４０には、シンボルレートソート部３８でのソート結果たるレベルランキング情報が入力されるとともに、図示しない基地局の制御装置から各ユーザ信号のＳＩＲの制御目標値（ターゲットＳＩＲ）が入力されている。すなわち、本干渉キャンセル装置１０が設けられた基地局では、ユーザ信号毎に１フレーム当たりどれくらいのビットエラーが発生するかを調べ、各ユーザ信号の伝送品質を均質化するため、特定のユーザ信号についてＳＩＲの制御目標値を上下して、ＳＩＲの制御目標値をユーザ毎に設定している。そこでターゲットＳＩＲソート部４０では、ＳＩＲの制御目標値が大きなユーザ信号については同じ拡散率であっても電力レベルが高く、逆にＳＩＲの制御目標値が小さなユーザ信号については同じ拡散率であっても電力レベルが低いと判断し、それにより前段のシンボルレートソート部３８から入力されたレベルランキング情報を更新している。
【００３１】
なお、ＳＩＲの制御目標値は概略一致している方が復調性能の点からは好ましいため、この設定によるユーザ間の差は比較的小さなものに抑えられるのが一般的である。ただ、そのように小さなＳＩＲの制御目標値の差であっても、同一のシンボルレートで同一の拡散率のユーザ信号について、その電力レベルの大小順位を判断するのに役立つのである。
【００３２】
ターゲットＳＩＲソート部４０で更新されたレベルランキング情報は、さらに後段に接続されたＴＰＣソート部４２に入力される。ここで、基地局では送信電力制御のために移動局に送信するＴＰＣ信号が生成されるようになっており、この各ユーザに対するＴＰＣ信号がＴＰＣソート部４２にも入力されている。そして、ＴＰＣソート部４２ではＴＰＣ信号の内容に基づき、前段のターゲットＳＩＲソート部４０から出力されたレベルランキング情報を更新している。すなわち、移動局に対して送信電力を下げるように指示する旨のＴＰＣ信号が入力されると、そのＴＰＣ信号に対応する（受信済みの）ユーザ信号は電力レベルが高いと判断し、逆に移動局に対して送信電力を上げるように指示する旨のＴＰＣ信号が入力されると、そのＴＰＣ信号に対応するユーザ信号は電力レベルが低いと判断する。こうして、ＴＰＣソート部４２ではＴＰＣ信号に基づいてレベルランキング情報を更新している。
【００３３】
図３は、レベルランキング回路１８の各部で生成される各時刻のレベルランキング情報を模式的に示す図であり、同図（ａ）はシンボルレートソート部３８で生成されたレベルランキング情報を示し、同図（ｂ）はターゲットＳＩＲソート部４０で更新されたレベルランキング情報を示し、同図（ｃ）はＴＰＣソート部４２で更新されたレベルランキング情報を示している。
【００３４】
これらの図に示すように、シンボルレートソート部３８では、各ユーザ信号のシンボルレートの種類が比較的少ないため、大まかなソーティングしか出来ない。同図（ａ）に示す例では、ユーザＡ，Ｂ，Ｅ，Ｆについては他ユーザよりも電力レベルが大きいことは判断できるものの、さらにその中でどのユーザの電力レベルが大きいかは判断できない。
【００３５】
次のターゲットＳＩＲソート部４０では、同図（ａ）に示されるレベルランキング情報が入力されると、ＳＩＲの制御目標値に基づいてソーティング内容を更新する。具体的には、前段のシンボルレートソート部３８では電力レベルの大小順の判断がつかなかったユーザ群につき、ＳＩＲの制御目標値に基づいて大小順を決定する。同図（ａ）の例では、シンボルレートソート部３８ではユーザＡ，Ｂ，Ｅ，Ｆの間で電力レベルの大小順が判断つかないが、ターゲットＳＩＲソート部４０では、このユーザＡ，Ｂ，Ｅ，Ｆに係るユーザ信号に対するＳＩＲの制御目標値の大小順を調べ、降順にソーティングする。ターゲットＳＩＲソート部４０では、同様に、シンボルレートが等しく大小順を決定できなかった他のユーザ群についても、その中でＳＩＲの制御目標値に従ってソーティングを行い、同図（ｂ）に示されるレベルランキング情報を出力する。
【００３６】
さらに次のＴＰＣソート部４２では、同図（ｂ）に示されるレベルランキング情報が入力され、これをＴＰＣ信号に基づいて再度ソーティングし、同図（ｃ）に示されるレベルランキング情報を出力する。すなわち、同図（ｂ）に示されるレベルランキング情報では、ターゲットＳＩＲソート部４０による更新を経たにも拘わらず、例えばユーザＢ，Ｅなどは、いずれが電力レベルの大きなユーザ信号であるか判別できない。そこで、こうした判別のできないユーザ群に対し、その中でＳＩＲの制御目標値に従って再度ソーティングを行う。同図では、ユーザＢとユーザＥが同一のシンボルレートで、かつＳＩＲの制御目標値が同一であり、両者のいずれが電力レベルが大きいかシンボルレートソート部３８及びターゲットＳＩＲソート部４０の処理では未だ判別がつかない。しかしながら、ＴＰＣソート部４２によれば、ユーザＢに対しては送信電力を下げる旨のＴＰＣ信号（ロウ制御）を送信しており、一方、ユーザＥに対しては送信電力を上げる旨のＴＰＣ信号（ハイ制御）を送信していることから、ユーザＥの方が電力レベルが大きく、ユーザＢの方が電力レベルが小さいと判断でき、その判断結果に従って同図（ｂ）のレベルランキング情報から同図（ｃ）のレベルランキング情報を生成する。
【００３７】
以上説明した干渉キャンセル装置１０によれば、従来技術のように、各ユーザ信号の受信レベルを受信機等で計測することなく、基地局で既に活用されていた情報（信号、データ）を用いてレベルランキング情報を生成することができる。このため、回路規模を削減して装置を小型化することができる。
【００３８】
なお、以上説明した干渉キャンセル装置１０は種々の変形実施が可能である。
【００３９】
例えば、以上の説明ではシンボルレートソート部３８とターゲットＳＩＲソート部４０とＴＰＣソート部４２とを、この順で用いてレベルランキング処理を行ったが、シンボルレートソート部３８でのレベルランキング処理だけでも一応のレベルランキング情報を得ることができる。
【００４０】
また、以上の説明では、シンボルレートソート部３８が、各移動局にて拡散レートが等しいことを前提に、ユーザ信号のシンボルレートによりレベルランキングを行ったが、そのような前提のない場合には各ユーザ信号の拡散率からレベルランキングを行うことができる。
【００４１】
さらに、以上の説明では干渉キャンセル処理を、図１に示される構成を有する第１〜第３ステージ１２，１４，１６において行ったが、レベルランキング回路１８で生成されるレベルランキング情報に基づき、受信レベルの大きなユーザ信号から順に、それらユーザ信号に係る干渉成分を基地局における受信信号から除去するのであれば、どのような回路構成を採用してもよい。
【図面の簡単な説明】
【図１】  本発明の実施の形態に係る干渉キャンセル装置の構成を示す図である。
【図２】  本発明の実施の形態に係る干渉キャンセル装置が備えるレベルランキング回路の構成を示す図である。
【図３】  本発明の実施の形態に係る干渉キャンセル装置が備えるレベルランキング回路における電力レベルのソーティング処理を説明する図である。
【図４】  従来技術に係る干渉キャンセル装置の構成を示す図である。
【符号の説明】
１０  干渉キャンセル装置、１２  第１ステージ、１４  第２ステージ、１６第３ステージ、１８  レベルランキング回路、２０，２６，３２  ＩＣＵ、２２，２８，３４  加算器、２４，３０，３６  遅延素子、３８  シンボルレートソート部、４０  ターゲットＳＩＲソート部、４２  ＴＰＣソート部。
【図１】
0004342038.tif 000002
【図２】
0004342038.tif 000003
【図３】
0004342038.tif 000004
【図４】
0004342038.tif 000005